(57)【特許請求の範囲】
【請求項１】
上枠及び下枠及び複数の柱により枠部を形成し、該枠部の前後両面に壁板を設けて内部を密閉した壁パネルを構成し、該壁パネルの壁板に配線孔を形成して分電盤や配線器具などの電気機器を配設し、前記上枠又は下枠の少なくとも一方に開口を形成し、該開口から前記壁パネル内に電線を挿通させて前記配線孔に取り付けられた前記電気機器に接続して成る住宅の気密構造であって、前記配線孔と前記開口の間に流れる空気を遮断するように前記壁パネルの内部に軟質材料から成る遮断部材を前記配線孔と前記開口との間に設け、前記遮断部材が前記電線に密着して前記配線孔と前記開口との間に空気が流れないようにしたことを特徴とする住宅の気密構造。
【請求項２】
前記遮断部材は前記壁板と平行に複数に分割し、分割した遮断部材の接触面に前記電線を挿通させることを特徴とする請求項１に記載の住宅の気密構造。
【請求項３】
前記遮断部材の電線挿通面に電線挿通方向に向けて複数のスリットを形成したことを特徴とする請求項１又は請求項２に記載の住宅の気密構造。
【請求項４】
前記遮断部材は電線挿通方向に間隔を設けて複数列に配列したことを特徴とする請求項１乃至請求項３の何れかに記載の住宅の気密構造。
【請求項５】
前記遮断部材は電線挿通方向の側面が支持片に接着されて支持されることを特徴とする請求項１乃至請求項４の何れかに記載の住宅の気密構造。
【請求項６】
前記遮断部材は前記壁パネル内に固定手段により固定されるベースと、該ベースと係脱可能に設けられるカバーとで形成したケースに設けられることを特徴とする請求項１乃至請求項５の何れかに記載の住宅の気密構造。
【請求項７】
前記ケースのカバーを透明又は半透明に形成したことを特徴とする請求項６に記載の住宅の気密構造。
【請求項８】
前記ケースは幅方向の一端部又は両端部に幅寸法を変更可能に移動する可動部を備え、該可動部は弾性部材により外側方向に付勢されていることを特徴とする請求項６又は請求項７に記載の住宅の気密構造。
【発明の詳細な説明】
【技術分野】
【０００１】
本発明は、住宅の壁面に配線器具や分電盤などの電気機器を取り付ける際の気密構造に関する。
【背景技術】
【０００２】
近年、住宅は断熱性能が求められ、高気密化が進められている。特に住宅の壁は分電盤や配線器具などの電気機器を取り付ける際に壁内に電線を挿通させて配線する場合には、壁の電気機器取り付け位置に配線孔を形成するため、この配線孔から空気が逃げないように気密対策する必要がある。その構造としては、例えば、分電盤を配設する場合には分電盤本体と壁の間及び蓋と分電盤本体の間に気密材を設けたり（例えば、特許文献１参照。）、また、配線器具を配設する場合には配線器具の表面や裏面に気密シートで覆っていた（例えば、特許文献２、特許文献３参照）。
【０００３】
【特許文献１】特開２０００−１３４７２７号公報
【特許文献２】特開平１１−２１５６３９号公報
【特許文献３】特開平１１−１１３１３４号公報
【発明の開示】
【発明が解決しようとする課題】
【０００４】
このように、従来の住宅の気密構造は分電盤や配線器具などの電気機器毎に個別に気密対策をしなければならなかった。更に従来の分電盤の気密構造では分電盤本体の背板全面と壁との間に気密材を設けるため、分電盤の壁からの突出を小さくするためには気密材の厚みが大きくできず、従って、薄い気密材を使用しなければならないが、気密材に切れ目を入れて電線を挿通させるので薄い気密材では電線との密着性が低く、而も分電盤に入出線される電線数は多いので切れ目が多くなり、気密性が高くなかった。また、蓋の裏側に設けられる気密材は蓋の縁に沿って貼り付けるので加工に手間がかかり、蓋と本体の密着性も良くないので気密性が高くなかった。また、従来の配線器具の気密構造では気密シートを配線器具の形状に沿って引き伸ばして電線や電源プラグの栓刃を貫通させるための孔を開けなければならないので破れたり、孔から空気が漏れる虞があった。
【課題を解決するための手段】
【０００５】
本発明は、請求項１に記載の発明によれば、上枠及び下枠及び複数の柱により枠部を形成し、枠部の前後両面に壁板を設けて内部を密閉した壁パネルを構成し、壁パネルの壁板に配線孔を形成して分電盤や配線器具などの電気機器を配設し、上枠又は下枠の少なくとも一方に開口を形成し、開口から壁パネル内に電線を挿通させて配線孔に取り付けられた電気機器に接続して成る住宅の気密構造であって、配線孔と開口の間に流れる空気を遮断するように壁パネルの内部に軟質材料から成る遮断部材を配線孔と開口との間に設け、遮断部材が電線に密着して配線孔と開口との間に空気が流れないようにしたことを特徴とする。
【０００６】
請求項２に記載の発明によれば、請求項１に記載の住宅の気密構造において、遮断部材は壁板と平行に複数に分割し、分割した遮断部材の接触面に電線を挿通させることを特徴とする。
【０００７】
請求項３に記載の発明によれば、請求項１又は請求項２に記載の住宅の気密構造において、遮断部材の電線挿通面に電線挿通方向に向けて複数のスリットを形成したことを特徴とする。
【０００８】
請求項４に記載の発明によれば、請求項１乃至請求項３の何れかに記載の住宅の気密構造において、遮断部材は電線挿通方向に間隔を設けて複数列に配列したことを特徴とする。
【０００９】
請求項５に記載の発明によれば、請求項１乃至請求項４の何れかに記載の住宅の気密構造において、遮断部材は電線挿通方向の側面が支持片に接着されて支持されることを特徴とする。
【００１０】
請求項６に記載の発明によれば、請求項１乃至請求項５の何れかに記載の住宅の気密構造において、遮断部材は壁パネル内に固定手段により固定されるベースと、ベースと係脱可能に設けられるカバーとで形成したケースに設けられることを特徴とする。
【００１１】
請求項７に記載の発明によれば、請求項６に記載の住宅の気密構造において、ケースのカバーを透明又は半透明に形成したことを特徴とする。
【００１２】
請求項８に記載の発明によれば、請求項６又は請求項７に記載の住宅の気密構造において、ケースは幅方向の一端部又は両端部に幅寸法を変更可能に移動する可動部を備え、可動部は弾性部材により外側方向に付勢されていることを特徴とする。
【発明の効果】
【００１３】
請求項１に記載の発明によれば、分電盤や配線器具などの電気機器を壁に取り付ける場合に個別に気密対策する必要がなく、また、気密性能を向上することができるという効果がある。
【００１４】
請求項２に記載の発明によれば、請求項１に記載の発明の効果に加えて、電線と遮断部材の密着性を高くすることができるので気密性能を向上することができるという効果がある。
【００１５】
請求項３に記載の発明によれば、請求項１又は請求項２に記載の発明の効果に加えて、電線と遮断部材の密着性がより高くなり、配線ダクトに挿通される電線の本数が多い場合でも電線と遮断部材の密着性が損なわれにくいので気密性能の低下を抑えることができるという効果がある。
【００１６】
請求項４に記載の発明によれば、請求項１乃至請求項３の何れかに記載の発明の効果に加えて、少ない材料で電線の支持間隔を広くすることができるので電線の傾きを抑えて遮断部材との密着性を高くし、また、空気抵抗が増加するので遮断部材から漏れる空気が少なくなり、気密性能を更に向上することができるという効果がある。
【００１７】
請求項５に記載の発明によれば、請求項１乃至請求項４の何れかに記載の発明の効果に加えて、電気機器への配線施工時に電線が引っ張られても遮断部材が外れたり、位置がずれる虞がないという効果がある。
【００１８】
請求項６に記載の発明によれば、請求項１乃至請求項５の何れかに記載の発明の効果に加えて、遮断部材に配置する電線の位置調整ができるので気密性能が向上するし、また、カバーの着脱が容易であり、ベースを柱に固定してカバーを取り付けるだけで容易にケースの固定ができるので施工性が向上するという効果がある。
【００１９】
請求項７に記載の発明によれば、請求項６に記載の発明の効果に加えて、ケース内の電線の配置状態を確認できるので電線の配置調整が容易にできるという効果がある。
【００２０】
請求項８に記載の発明によれば、請求項６又は請求項７に記載の発明の効果に加えて、柱間の距離にばらつきがある場合でもケースを柱に追従させて密着させることができるという効果がある。
【発明を実施するための最良の形態】
【００２１】
建物の壁を構成する壁パネルは上枠と下枠と柱により形成した枠部の一部に電線が挿通する開口を形成し、枠部の背面側に壁板を取り付けた状態で壁板に形成した配線孔と枠部の開口との間にケースに収めた遮断部材を設ける。遮断部材は軟質材料により形成し、上下に所定間隔をおいて２列に設け、壁板と平行に２つに分割し、分割した遮断部材の接触面に電線挿通方向に向けて複数のスリットを形成する。そして、開口６に挿通させた電線を遮断部材の接触面に挿通させて配線孔に取り付けられた電気機器に接続し、枠部の前面側に壁板を取り付けることにより組立が完了し、遮断部材によって配線孔と開口の間に流れる空気が遮断される。
【実施例１】
【００２２】
本発明に係る住宅の気密構造の実施例１を図１及び図２の添付図面に基づいて説明する。
【００２３】
本発明の住宅の気密構造は、建築前に予め、上枠２と下枠３と複数の柱４，４・・・により枠部５を形成し、枠部５の前後両面に壁板７，７を設けて内部を密閉して形成した壁パネル１を複数組み付けて壁を構成するツーバイフォー工法やツーバイシックス工法による住宅に好適に用いられる。
【００２４】
そして、分電盤や配線器具などの電気機器９が配設される壁パネル１は、壁板７に電気機器９に応じた配線孔８が１箇所又は複数箇所に形成されてこれらの電気機器９が取り付けられ、上枠２の一部に電線１０を挿通するための開口６が形成されて電気機器９に接続される電線１０が挿通されるようになっている。
【００２５】
この壁パネル１において、配線孔８と開口６の間に流れる空気を遮断するように壁パネル１の内部に遮断部材１１が設けられる。遮断部材１１はスポンジやウレタンなどの軟質材料により壁パネル１の隣り合う柱４，４と対向する壁板７，７で形成される空間を満たす略直方体状に形成され、枠部５に背面側の壁板７だけを組み付けた状態において、上枠２の開口６とこの開口６に最も近い位置の配線孔８との間に遮断部材１１を水平にして接着したり圧入して取り付け、開口６に電線１０を挿通させて遮断部材１１の電線挿通面、即ち、遮断部材１１と枠部５の前面側に取り付けられる壁板７との接触面に複数の電線１０を互いに所定間隔離して配置する。それから枠部５の前面側に壁板７を組み付けて壁パネル１を形成することにより、図２に示すように遮断部材１１は電線１０に押し潰されて密着し、配線孔８と開口６の間に空気が流れないように遮断することができる。尚、電気機器９は前面側の壁板７を枠部５に取り付ける前に配線孔８に固定して電線１０を接続しても良いし、前面側の壁板７を枠部５に取り付けた後で配線孔８に固定して電線１０を接続しても良い。
【００２６】
このように壁パネル１を構成したことで、配線孔８が複数形成された場合でも電気機器９を個別に気密対策する必要がなく、高い気密性を得ることができる。また、遮断部材１１の厚みを厚くすることで更に気密性を向上させることができる。
【００２７】
尚、枠部５の開口６が上枠２及び下枠３の両方に形成されている場合は、配線孔８を挟んで上下両側に遮断部材１１を設ければ良く、また、遮断部材１１の取り付け位置や取り付け構造や形状については本発明の趣旨を逸脱しない範囲において適宜に変更して実施することが可能である。
【実施例２】
【００２８】
本発明に係る住宅の気密構造の実施例２を図３及び図４の添付図面に基づいて説明する。尚、実施例１と同一部分は同一符号を付して説明を省略する。
【００２９】
本実施例では、遮断部材１１を壁板７と平行に２分割して形成している。遮断部材１１は枠部５の背面側だけに壁板７を組み付けた状態において、上枠２の開口６とこの開口６に最も近い位置の配線孔８との間に背面側の遮断部材１１を水平にして接着したり圧入して取り付け、遮断部材１１の電線挿通面、即ち、前面側の遮断部材１１との接触面に複数の電線１０を互いに所定間隔離して配置し、それから電線１０を挟持するように前面側の遮断部材１１を柱４，４間に接着したり圧入して取り付ける。そして、電線１０と遮断部材１１，１１との密着性が向上するように遮断部材１１，１１に挟持された電線１０の位置調整をし、最後に枠部５に前面側の壁板７を組み付けることにより壁パネル１を形成している。尚、電気機器９は前面側の壁板７を枠部５に取り付ける前に配線孔８に固定して電線１０を接続しても良いし、前面側の壁板７を枠部５に取り付けた後で配線孔８に固定して電線１０を接続しても良い。また、前面側の遮断部材１１を接着して取り付ける場合、前面側の壁板７との接触面も接着することで固定を強化することができる。
【００３０】
こうして電線１０を分割した遮断部材１１，１１の接触面に挿通させることにより、電線１０と遮断部材１１，１１の密着性を高くすることができるので気密性能を向上することができる。尚、遮断部材１１は３分割以上に形成しても何ら問題なく、これにより電線挿通面が多くなるのでより多くの電線１０を挿通させることが可能となる。
【実施例３】
【００３１】
本発明に係る住宅の気密構造の実施例３を図５及び図６の添付図面に基づいて説明する。尚、実施例１又は実施例２と同一部分は同一符号を付して説明を省略する。
【００３２】
本実施例では、遮断部材１１，１１の電線挿通面に電線挿通方向に向けて複数のスリット１２を形成している。これにより、電線１０と遮断部材１１，１１の密着性がより高くなり、遮断部材１１，１１に挿通される電線１０の本数が多い場合でも電線１０と遮断部材１１，１１の密着性が損なわれにくいので気密性能の低下を抑えることができる。
【実施例４】
【００３３】
本発明に係る住宅の気密構造の実施例４を図７の添付図面に基づいて説明する。尚、実施例１〜実施例３と同一部分は同一符号を付して説明を省略する。
【００３４】
本実施例では、遮断部材１１，１１を上下方向に所定間隔おいて２列に配列している。これにより少ない材料で電線１０の上下方向に支持間隔を広くすることができるので電線１０の傾きを抑えて遮断部材１１，１１との密着性を高くし、また、空気抵抗が増加するので遮断部材１１，１１から漏れる空気が少なくなり、気密性能を更に向上することができる。尚、遮断部材１１は３列以上に配列しても良い。
【実施例５】
【００３５】
本発明に係る住宅の気密構造の実施例５を図８〜図１０の添付図面に基づいて説明する。尚、実施例１〜実施例４と同一部分は同一符号を付して説明を省略する。
【００３６】
本実施例では、遮断部材１１が支持部材１３に取り付けられている。支持部材１３は遮断部材１１の電線挿通方向の側面が電線１０の挿通を阻害しないように接着された支持片１３ａと、支持片１３ａの左右両端に形成された固定片１３ｂ，１３ｂとで形成し、固定片１３ｂには取付ネジ１４が挿通する取付孔１３ｃ，１３ｃが形成されている。
【００３７】
遮断部材１１は、枠部５の背面側の壁板７だけを組み付けた状態において、上枠２の開口６とこの開口６に最も近い位置の配線孔８の間に遮断部材１１の配線孔８側の側面、即ち、図９では下側の側面に支持片１３ａが位置するように水平にして遮断部材１１の背面を枠部５の背面側の壁板７に当接させ、固定片１３ｂの取付孔１３ｃに外側方向に取付ネジ１４を挿通させて柱４に螺着して固定する。このとき、柱４，４の間隔より固定片１３ｂ，１３ｂの両端距離が小さい場合は取付ネジ１４を完全に締め付けず、取付ネジ１４の座面が固定片１３ｂに当接する程度に締め付けて固定する。そして、遮断部材１１の電線挿通面に複数の電線１０を固まって配置されないように互いに所定間隔離して配置し、電線１０を挟持するように背面側の遮断部材１１の電線挿通面に支持部材１３を前後反転させて固定した前面側の遮断部材１１を対向させて前後両支持部材１３，１３の固定片１３ｂ，１３ｂ同士を突き合わせることで位置決めして配置し、前面側の支持部材１３の固定片１３ｂ，１３ｂに取付ネジ１４を挿通させて柱４，４に螺着して固定する。それから、電線１０と遮断部材１１，１１との密着性が向上するように遮断部材１１，１１に挟持された電線１０の位置調整をし、最後に枠部５に前面側の壁板７を組み付けることにより壁パネル１を形成している。
【００３８】
このように遮断部材１１を支持部材１３の支持片１３ａで支持したことにより、電気機器９への電線１０の接続作業時などにおいて電線１０が引っ張られても遮断部材１１が外れたり、位置がずれる虞がない。
【００３９】
尚、支持部材１３は、前面側の支持部材１３と背面側の支持部材１３を同一形状にして部品の共通化を図っているが、例えば図１１に示すように前面側の支持部材１３の固定片１３ｂ，１３ｂを省いて支持片１３ａの後端左右両部に係合突部１３ｄ，１３ｄを形成し、固定片１３ｂ，１３ｂを有して柱４，４に固定される背面側の支持部材１３に係合受部１３ｅ，１３ｅを形成し、この係合受部１３ｅ，１３ｅに係合凸部１３ｄ，１３ｄを挿入することで前面側の支持部材１３を背面側の支持部材１３に固定可能に形成したり、例えば、図１２に示すように支持部材１３の支持片１３ａと固定片１３ｂを別体に形成し、柱４に固定される固定片１３ｂは嵌合片１３ｆを形成し、遮断部材１１が取り付けられる支持片１３ａの左右両部には固定片１３ｂの嵌合片１３ｆに嵌合する嵌合溝１３ｇ，１３ｇを形成し、複数の支持片１３ａ，１３ａを一対の固定片１３ｂ，１３ｂに固定可能に形成するなど、支持部材の形状及び構造について本発明の趣旨を逸脱しない範囲において適宜に変更して実施することが可能である。
【実施例６】
【００４０】
本発明に係る住宅の気密構造の実施例６を図１３〜図１６の添付図面に基づいて説明する。尚、実施例１〜実施例５と同一部分は同一符号を付して説明を省略する。
【００４１】
本実施例では、対向する柱４，４及び壁板７，７で囲まれる４面に密着する略四角筒状に形成したケース１５の内部に遮断部材１１を設けている。
【００４２】
ケース１５は、背板部１６ａと左右側板部１６ｂとで略コ字状に形成したベース１６と、このベース１６と対向する前板部１７ａと左右側板部１７ｂとで略コ字状に形成したカバー１７とで成り、ベース１６は背板部１６ａの左右両部に内側方向に突設した爪を有する係合部１６ｃが垂設され、カバー１７は前面板部１７ａ内面の左右両部に外側方向に突設した爪を有する係合部１７ｃがベース１６の係合部１６ｃと対向して垂設され、カバー１７の左右両部には前面板部１７ａと左右側面板部１７ｂに亘る把手孔１７ｅが形成されている。また、ベース１６及びカバー１７の内面に遮断部材１１の配線孔８側の側面、即ち、図１４では下側の側面に遮断部材１１を支持する支持片１６ｄ，１７ｄが電線挿通を阻害しない程度に垂設されている。また、ベース１６は左右側板部１６ｂの上下前端部には固定手段としての取付ネジ１４が左右側板部１６ｂを内側前方から外側後方に向けて斜めに挿通する取付孔１６ｅが形成されている。
【００４３】
こうして形成されたケース１５は、枠部５に背面側の壁板７だけを組み付けた状態において、上枠２の開口６とこの開口６に最も近い位置の配線孔８の間にベース１６を水平にして枠部５の背面側の壁板７に当接させ、取付孔１６ｄに取付ネジ１９を挿通させて柱４に螺着固定する。そして、遮断部材１１の電線挿通面に複数の電線１０を互いに所定間隔離して配置し、ベース１６の係合部１４ｃの傾斜面にカバー１７の係合部１７ｃの傾斜面を当接させてカバー１７を前面から押し込むことによりカバー１７の係合部１７ｃがベース１６の係合部１６ｃに係合してベース１６にカバー１７を取り付けることができる。それから遮断部材１１に配置した電線１０の位置調整をして電線１０と遮断部材１１との密着性を向上させる。尚、カバー１７を透明又は半透明に形成することによりケース１５内の電線１０の配置状態を確認できるので位置調整が容易に行うことができる。それから、最後に前面側の壁板７を取り付けて壁パネル１を形成する。尚、カバー１７を取り外すにはカバー１７の左右両側の把手孔１７ｅに指先を入れて係合部１７ｃを内側に撓ませることによりベース１６の係合部１６ｃからカバー１７の係合部１７ｃの係合を解除することができ、カバー１７を取り外すことができる。
【００４４】
このように形成されたケース１５はカバー１７の着脱が容易であり、ベース１６を柱４，４に固定してカバー１７を取り付けるだけで容易にケース１５の固定ができるので施工性が良好である。また、電気機器９への電線１０の接続作業時などにおいて電線１０が引っ張られても遮断部材１１は支持片１６ｄ，１７ｄによって支持されるので外れたり、位置がずれる虞がない。
【００４５】
尚、ケース１５と柱４又は壁板７との密着性を高めるために、ケース１５の外面にシートを貼着させても良く、また、カバー１７の透明又は半透明に形成する部分はカバー１７の全部でも良いし、遮断部材１１に配置された電線１０の状態をカバー１７前面から透視可能であれば一部であっても良い。また、その他のケース１５の形状及び構造について本発明の趣旨を逸脱しない範囲において適宜に変更して実施することが可能である。
【実施例７】
【００４６】
本発明に係る住宅の気密構造の実施例７を図１７〜図２０の添付図面に基づいて説明する。尚、実施例１〜実施例６と同一部分は同一符号を付して説明を省略する。
【００４７】
本実施例では、ケース１５の幅方向の一端部に幅方向に移動して幅寸法を変更可能にする可動部１８を備えている。この可動部１８は側板部１８ａと上下板部１８ｂとで略コ字状に形成され、上下板部１８ｂの内側面に突設されたガイド部１８ｆがベース１６の上下両端部に形成されたガイド溝１６ｆに嵌まって可動部１８をケース１５の幅方向に移動可能にし、ベース１６の側板部１６ｂと可動部１８の側板部１８ａとの間に設けられた弾性部材としてのバネ１９によってベース１６の外側方向に移動するように付勢され、ベース１６の上下板部１８ｂの内側面に突設されたストッパ部１８ｇがベース１６の側板部１６ｂに係止して外側方向の移動が規制されるようになっている。また、側板部１８ａの上下前端部には取付ネジ１４が挿通するための取付孔１８ｅが形成されている。
【００４８】
このため、ケース１５は幅寸法を変更することができ、柱４の取付間隔に誤差がある場合でもケース１５の幅が小さくなるように可動部１８をバネ１９の力に抗して移動させた状態で柱４，４間に嵌めて背面側の壁板７に当接させ、バネ１９の力を開放して可動部１８を外側方向に移動させることにより、柱４，４に密着させることができる。
【００４９】
そして、ベース１６の取付孔１６ｄと可動部１８の取付孔１８ｄに取付ネジ１４を挿通させて柱４に螺着固定し、遮断部材１１の電線挿通面に複数の電線１０を互いに所定間隔離して配置し、ベース１６にカバー１７を前面から押し付けてカバー１７の係合部１７ｃをベース１６の係合部１６ｃに係合させることによりベース１６にカバー１７を取り付ける。それから前面側の壁板７を取り付けることにより壁パネル１を形成する。
【００５０】
尚、可動部及び弾性部材の形状及び構造について限定はなく、適宜に変更して実施することが可能である。
【図面の簡単な説明】
【００５１】
【図１】本発明の実施例１に係る住宅の気密構造を示す分解斜視図である。
【図２】本発明の実施例１に係る住宅の気密構造を示す壁パネルの横断面図である。
【図３】本発明の実施例２に係る住宅の気密構造を示す分解斜視図である。
【図４】本発明の実施例２に係る住宅の気密構造を示す壁パネルの横断面図である。
【図５】本発明の実施例３に係る住宅の気密構造を示す分解斜視図である。
【図６】本発明の実施例３に係る住宅の気密構造を示す壁パネルの横断面図である。
【図７】本発明の実施例４に係る住宅の気密構造を示す分解斜視図である。
【図８】本発明の実施例５に係る住宅の気密構造を示す分解斜視図である。
【図９】本発明の実施例５に係る支持部材に取り付けられた遮断部材を示す分解斜視図である。
【図１０】本発明の実施例５に係る支持部材に取り付けられた遮断部材を下側から見た状態の壁パネルの横断面図である。
【図１１】本発明の実施例５に係る遮断部材と支持部材の変形実施例を示す分解斜視図である。
【図１２】本発明の実施例５に係る遮断部材と支持部材の変形実施例を示す分解斜視図である。
【図１３】本発明の実施例６に係る住宅の気密構造を示す分解斜視図である。
【図１４】本発明の実施例６に係るケースに取り付けられた遮断部材を示す分解斜視図である。
【図１５】本発明の実施例６に係る遮断部材が取り付けられたベースを柱間に取り付けた状態の正面図である。
【図１６】本発明の実施例６に係る壁パネルに取り付けられた遮断部材の横断面図である。
【図１７】本発明の実施例７に係る住宅の気密構造を示す分解斜視図である。
【図１８】本発明の実施例７に係るケースに取り付けられた遮断部材を示す分解斜視図である。
【図１９】本発明の実施例７に係る遮断部材が取り付けられたベースと可動部を壁パネルに取り付けた状態の正面図である。
【図２０】本発明の実施例７に係るケースに取り付けられた遮断部材を上側から見た状態の壁パネルの横断面図である。
【符号の説明】
【００５２】
１    壁パネル
２    上枠
３    下枠
４    柱
５    枠部
６    開口
７    壁板
８    配線孔
９    電気機器
１０    電線
１１    遮断部材
【図１】
0004608448.tif 000002
【図２】
0004608448.tif 000003
【図３】
0004608448.tif 000004
【図４】
0004608448.tif 000005
【図５】
0004608448.tif 000006
【図６】
0004608448.tif 000007
【図７】
0004608448.tif 000008
【図８】
0004608448.tif 000009
【図９】
0004608448.tif 000010
【図１０】
0004608448.tif 000011
【図１１】
0004608448.tif 000012
【図１２】
0004608448.tif 000013
【図１３】
0004608448.tif 000014
【図１４】
0004608448.tif 000015
【図１５】
0004608448.tif 000016
【図１６】
0004608448.tif 000017
【図１７】
0004608448.tif 000018
【図１８】
0004608448.tif 000019
【図１９】
0004608448.tif 000020
【図２０】
0004608448.tif 000021